(57)【要約】【課題】各種設置姿勢における安定性を向上させる。【解決手段】底面Ｆａを設置面として装置本体２を支持する第１の支持姿勢において正面パネルが前向きとなる第１の取付け姿勢（実線で示す姿勢）と、背面Ｆｂを設置面として装置本体２を支持する第２の支持姿勢において正面パネルが上向きとなる第２の取付け姿勢（実線で示す姿勢）と、第１の支持姿勢において正面パネルが斜めの向きとなるように支持部材３ａ，３ｂに対して装置本体２が傾いた第３の取付け姿勢（一点鎖線で示す姿勢）と、第２の支持姿勢において正面パネルが斜めの向きとなるように支持部材３ａ，３ｂに対して装置本体２が傾いた第４の取付け姿勢（二点鎖線で示す姿勢）とで支持部材３ａ，３ｂに対して装置本体２を取り付けるための位置Ｐａ１〜Ｐｄ１，Ｐａ２〜Ｐｄ２，Ｐａ３〜Ｐｄ３に装置本体に固定された案内ピンを案内可能に案内溝２１ａ〜２１ｄが支持部材に形成されている。【選択図】図５
2010256257.tif 000002
【特許請求の範囲】
【請求項１】
正面パネルに表示部が配設された装置本体と、前記装置本体の左側面に取り付けられた左支持部材および当該装置本体の右側面に取り付けられた右支持部材と、前記両支持部材を連結する連結部材と、前記両支持部材に対する前記装置本体の取付け姿勢の変更が可能に構成された取付け機構とを備え、
前記支持部材は、当該支持部材の底面を設置面として前記装置本体を支持する第１の支持姿勢と、当該支持部材の背面を設置面として前記装置本体を支持する第２の支持姿勢との少なくとも２つの姿勢で当該装置本体を支持可能に構成され、
前記取付け機構は、前記両支持部材および前記装置本体の一方に固定された案内ピンと、前記両支持部材および前記装置本体の他方に設けられて前記案内ピンを溝内の所定の位置に案内可能な案内溝とで構成され、
前記案内溝は、前記第１の支持姿勢において前記正面パネルが前向きとなる第１の取付け姿勢と、前記第２の支持姿勢において前記正面パネルが上向きとなる第２の取付け姿勢と、前記第１の支持姿勢において前記正面パネルが斜めの向きとなるように前記両支持部材に対して前記装置本体が傾いた第３の取付け姿勢と、前記第２の支持姿勢において前記正面パネルが斜めの向きとなるように前記両支持部材に対して前記装置本体が傾いた第４の取付け姿勢との少なくとも４つの取付け姿勢で当該両支持部材に対して当該装置本体を取り付けるための複数の前記所定の位置に前記案内ピンを案内可能に形成されている測定装置。
【請求項２】
前記案内溝は、前記第１の支持姿勢において前記第１の取付け姿勢の前記装置本体よりも当該装置本体が上方に位置した状態で前記正面パネルが前向きとなる第５の取付け姿勢で当該装置本体を取り付けるための前記所定の位置に前記案内ピンを案内可能に形成されている請求項１記載の測定装置。
【請求項３】
前記各取付け姿勢において前記両支持部材と前記装置本体とを相互に固定して当該両支持部材に対する当該装置本体の移動を規制するロック機構を備えている請求項１または２記載の測定装置。
【請求項４】
前記連結部材は、前記両支持部材の上部を相互に連結するように配設された取っ手で構成されている請求項１から３のいずれかに記載の測定装置。
【請求項５】
前記案内溝は、前記第１の取付け姿勢および前記第２の取付け姿勢で取り付けられた前記装置本体の前記両側面の全域が側面視において当該支持部材の外縁の内側に位置する前記所定の位置に前記案内ピンを案内可能に形成されている請求項１から４のいずれかに記載の測定装置。
【請求項６】
前記案内溝は、前記案内ピンを前記複数の所定の位置に案内可能にＴ字状または十字状に形成されている請求項１から５のいずれかに記載の測定装置。
【発明の詳細な説明】
【技術分野】
【０００１】
本発明は、各種の設置姿勢で設置可能に装置本体に対して支持部材が取り付けられた測定装置に関するものである。
【背景技術】
【０００２】
この種の測定装置として、薄厚箱状の本体部分における表面（正面）に表示部が配設されると共に、コ字状のスタンドを本体部分に対して回動可能に取り付けたスタンド付き携帯型測定器（以下、「測定器」ともいう）が特開平９−３１８７７７号公報に開示されている。この測定器では、収納時や携行時などにおいては、本体部分の側面（上記の正面と直交する面）に沿わせるようにしてスタンドを収納する。また、例えば床面に測定器を設置して使用するときには、スタンドを収納した状態まま、本体部分の底面（上記の正面と平行であって上記の側面と直交する面）を床面に接触させるようにして設置する。これにより、表示部が配設されている正面パネルが上向きとなり、表示部を視認することが可能となる。一方、例えば、利用者が立っている状態で測定器を机上に設置して使用するときには、本体部分からスタンドを引き起こして本体部分とスタンドとが側面視ハ字状となるようにして設置する。これにより、机上において正面パネルが斜め上向き（上向きよりもやや前向き）となり、上向きに設置したときよりも表示部を好適に視認することが可能となる。
【先行技術文献】
【特許文献】
【０００３】
【特許文献１】特開平９−３１８７７７号公報（第２−３頁、第１−３図）
【発明の概要】
【発明が解決しようとする課題】
【０００４】
ところが、従来の測定器には、以下の問題点がある。すなわち、従来の測定器では、正面パネルが上向きとなる設置姿勢、および正面パネルが斜め上向きとなる設置姿勢の２種類の設置姿勢で設置することができるように構成されている。この場合、この種の測定器（測定装置）を使用した測定処理に際しては、利用者の目線の高さと同程度の高さの設置面（例えば、収納棚の棚板の上）に測定器を設置することがある。しかしながら、従来の測定器では、スタンド（支持部材）を収納した状態において正面パネルが前向きとなるように設置したときに、収納状態のスタンドだけが設置面に接した非常に不安定な状態となる。
【０００５】
一方、スタンドを引き起こした状態で前向きに設置したとしても、本体部分の４つの側面のうちの１つが設置面に接するだけで、本体部分から引き起こしたスタンドが設置面に接触することはない。この場合、従来の測定器では、本体部分が薄厚箱状に形成されて、その側面が正面パネルに対する奥行き方向で非常に狭くなっている。したがって、従来の測定器では、スタンドを引き起こした状態で本体部分の側面を設置面に接触させるように設置して正面パネルを前向きにした設置姿勢において、上記したように、本体部分がスタンドによって支持されることなく、非常に不安定な状態となる。このため、従来の測定器では、前向きの設置姿勢において、本体部分が倒れたり、最悪の場合には、棚板上から落下したりするおそれがあり、これに起因して測定器の破損を招くことがあるという問題点がある。
【０００６】
本発明は、かかる問題点に鑑みてなされたものであり、各種設置姿勢における安定性を向上し得る測定装置を提供することを主目的とする。
【課題を解決するための手段】
【０００７】
上記目的を達成すべく請求項１記載の測定装置は、正面パネルに表示部が配設された装置本体と、前記装置本体の左側面に取り付けられた左支持部材および当該装置本体の右側面に取り付けられた右支持部材と、前記両支持部材を連結する連結部材と、前記両支持部材に対する前記装置本体の取付け姿勢の変更が可能に構成された取付け機構とを備え、前記支持部材が、当該支持部材の底面を設置面として前記装置本体を支持する第１の支持姿勢と、当該支持部材の背面を設置面として前記装置本体を支持する第２の支持姿勢との少なくとも２つの姿勢で当該装置本体を支持可能に構成され、前記取付け機構が、前記両支持部材および前記装置本体の一方に固定された案内ピンと、前記両支持部材および前記装置本体の他方に設けられて前記案内ピンを溝内の所定の位置に案内可能な案内溝とで構成され、前記案内溝が、前記第１の支持姿勢において前記正面パネルが前向きとなる第１の取付け姿勢と、前記第２の支持姿勢において前記正面パネルが上向きとなる第２の取付け姿勢と、前記第１の支持姿勢において前記正面パネルが斜めの向きとなるように前記両支持部材に対して前記装置本体が傾いた第３の取付け姿勢と、前記第２の支持姿勢において前記正面パネルが斜めの向きとなるように前記両支持部材に対して前記装置本体が傾いた第４の取付け姿勢との少なくとも４つの取付け姿勢で当該両支持部材に対して当該装置本体を取り付けるための複数の前記所定の位置に前記案内ピンを案内可能に形成されている。この場合、上記の第１の取付け姿勢と第２の取付け姿勢とは、支持部材の底面を設置面とする点と支持部材の背面を設置面とする点とが相違するだけで、装置本体に対する支持部材の取付け自体は同じ姿勢であってもよい。
【０００８】
また、請求項２記載の測定装置は、請求項１記載の測定装置において、前記案内溝が、前記第１の支持姿勢において前記第１の取付け姿勢の前記装置本体よりも当該装置本体が上方に位置した状態で前記正面パネルが前向きとなる第５の取付け姿勢で当該装置本体を取り付けるための前記所定の位置に前記案内ピンを案内可能に形成されている。
【０００９】
さらに、請求項３記載の測定装置は、請求項１または２記載の測定装置において、前記各取付け姿勢において前記両支持部材と前記装置本体とを相互に固定して当該両支持部材に対する当該装置本体の移動を規制するロック機構を備えている。
【００１０】
また、請求項４記載の測定装置は、請求項１から３のいずれかに記載の測定装置において、前記連結部材が、前記両支持部材の上部を相互に連結するように配設された取っ手で構成されている。
【００１１】
さらに、請求項５記載の測定装置は、請求項１から４のいずれかに記載の測定装置において、前記案内溝が、前記第１の取付け姿勢および前記第２の取付け姿勢で取り付けられた前記装置本体の前記両側面の全域が側面視において前記支持部材の外縁の内側に位置する前記所定の位置に前記案内ピンを案内可能に形成されている。
【００１２】
また、請求項６記載の測定装置は、請求項１から５のいずれかに記載の測定装置において、前記案内溝が、前記案内ピンを前記複数の所定の位置に案内可能にＴ字状または十字状に形成されている。
【発明の効果】
【００１３】
請求項１記載の測定装置では、両支持部材および装置本体の一方に固定された案内ピンと、両支持部材および装置本体の他方に設けられて案内ピンを溝内の所定の位置に案内可能な案内溝とで取付け機構が構成され、支持部材の底面を設置面として装置本体を支持する第１の支持姿勢において表示部が配設されている正面パネルが前向きとなる第１の取付け姿勢と、支持部材の背面を設置面として装置本体を支持する第２の支持姿勢において正面パネルが上向きとなる第２の取付け姿勢と、第１の支持姿勢において正面パネルが斜めの向き（斜め上向きまたは斜め下向き）となるように両支持部材に対して装置本体が傾いた第３の取付け姿勢と、第２の支持姿勢において正面パネルが斜めの向き（斜め上向きまたは斜め下向き）となるように両支持部材に対して装置本体が傾いた第４の取付け姿勢との少なくとも４つの取付け姿勢で両支持部材に対して装置本体を取り付けるための複数の所定の位置に案内ピンを案内可能に案内溝が形成されている。
【００１４】
したがって、請求項１記載の測定装置によれば、利用形態に合わせて任意の設置姿勢で設置する（各種取付け姿勢のうちから任意の取付け姿勢を選択して両支持部材に装置本体を取り付けて設置する）ことができるだけでなく、正面パネルを前向きにするための第１の取付け姿勢や、正面パネルを斜め前向きにするための第３の取付け姿勢で装置本体を取り付けた状態において第１の支持姿勢の両支持部材によって支持する設置姿勢で設置した状態においても、測定装置の奥行き方向に長い底面を設置面に接触させていることで、十分な安定性を確保することができる。これにより、この測定装置によれば、測定装置が転倒したり落下したりする事態を回避することができるため、転倒や落下に起因する破損を防止することができる。また、両支持部材を連結部材によって相互に連結したことにより、装置本体に対して両支持部材が別個独立して移動する事態を回避することができるため、例えば左支持部材の底面（または背面）だけが設置面に線的または面的に接触して右支持部材の角部が設置面に点的に接触した不安定な状態となるのを確実に回避することができる。
【００１５】
また、請求項２記載の測定装置によれば、第１の支持姿勢において第１の取付け姿勢の装置本体よりも装置本体が上方に位置した状態で正面パネルが前向きとなる第５の取付け姿勢で装置本体を取り付けるための所定の位置に案内ピンを案内可能に案内溝を形成したことにより、例えば各種のケーブルが引き回されている床面等に測定装置を設置する際に、装置本体の下方に十分な高さの空間を設けることができるため、床面等に引き回されたケーブル等が邪魔をして測定装置の設置状態が不安定となる事態を回避することができる。
【００１６】
さらに、請求項３記載の測定装置によれば、各取付け姿勢において両支持部材と装置本体とを相互に固定して両支持部材に対する装置本体の移動を規制するロック機構を備えたことにより、所望の取付け姿勢で両支持部材に装置本体を取り付けた状態において装置本体が利用者の意図に反して両支持部材に対して移動してしまう事態を確実に回避することができる。このため、この測定装置によれば、表示部の視認が良好な取付け姿勢を確実に維持することができる。
【００１７】
また、請求項４記載の測定装置によれば、両支持部材の上部を相互に連結するように配設された取っ手で連結部材を構成したことにより、連結部材としての取っ手に手をかけて測定装置を容易に携行することができるだけでなく、両支持部材を連結するための連結部材と、携行に際して手をかけるための取っ手とを別個に設けた測定装置と比較して、製造コスト（部品コスト）の低減を図りつつ、その重量を十分に軽量化することができる。
【００１８】
さらに、請求項５記載の測定装置によれば、第１の取付け姿勢および第２の取付け姿勢で取り付けられた装置本体の両側面の全域が側面視において支持部材の外縁の内側に位置する所定の位置に案内ピンを案内可能に案内溝を形成したことにより、上方からの落下物や、前方、後方および側方からの移動体が装置本体に衝突せずに両支持部材に衝突するため、落下物や移動体による装置本体の破損を好適に回避することができる。
【００１９】
また、請求項６記載の測定装置によれば、案内ピンを複数の所定の位置に案内可能に案内溝をＴ字状または十字状に形成したことにより、複雑な形状の案内溝を採用した構成と比較して、案内溝内での案内ピンの引っ掛かりを招くことなく、案内ピンを所望の位置に向けてスムーズに案内させることができる。
【図面の簡単な説明】
【００２０】
【図１】第１の取付け姿勢で取り付けた装置本体２を第１の支持姿勢の支持部材３ａ，３ｂによって支持するようにして設置した状態の測定装置１の外観斜視図である。
【図２】測定装置１における装置本体２の外観斜視図である。
【図３】装置本体２に対する支持部材３ａ，３ｂの取り付け部位（取付け機構５）の断面図である。
【図４】測定装置１における支持部材３ａ，３ｂの外観斜視図である。
【図５】支持部材３ａ，３ｂに対する装置本体２の取付け姿勢と測定装置１の各設置姿勢との関係について説明するための説明図である。
【図６】第３の取付け姿勢で取り付けた装置本体２を第１の支持姿勢の支持部材３ａ，３ｂによって支持するようにして設置した状態の測定装置１の外観斜視図である。
【図７】第４の取付け姿勢で取り付けた装置本体２を第２の支持姿勢の支持部材３ａ，３ｂによって支持するようにして設置した状態の測定装置１の外観斜視図である。
【図８】第５の取付け姿勢で取り付けた装置本体２を第１の支持姿勢の支持部材３ａ，３ｂによって支持するようにして設置した状態の測定装置１の外観斜視図である。
【図９】測定装置１Ａの外観斜視図である。
【発明を実施するための形態】
【００２１】
以下、本発明に係る測定装置の実施の形態について、添付図面を参照して説明する。
【００２２】
図１に示す測定装置１は、携帯型の測定装置の一例であって、装置本体２、支持部材３ａ，３ｂ、取っ手４および取付け機構５を備え、後述するように、各種の設置姿勢で設置して使用することができるように構成されている。装置本体２は、図２に示すように、正面パネル１１、左側面１２ａ、右側面１２ｂ、底面１３ａ、上面１３ｂおよび背面１４を有する直方体状に形成されている。また、装置本体２の正面パネル１１には、測定結果等を表示する表示部１５が配設されると共に、測定条件等を設定操作するための複数の操作スイッチを有する操作部（図示せず）が配設されている。さらに、装置本体２の左側面１２ａおよび右側面１２ｂ（以下、区別しないときには「側面１２」ともいう）には、後述するように両支持部材３ａ，３ｂに形成されている案内溝２１ａ〜２１ｄ（図４参照）と相俟って取付け機構５を構成する４つの案内ピン１６がそれぞれ固定されている（「両支持部材および装置本体一方」が「装置本体」である構成の一例）。この場合、図３に示すように、この測定装置１では、上記の各案内ピン１６が固定用ねじ１６ａによって装置本体２に固定（ねじ止め）されている。また、図２に示すように、側面１２には、固定用ねじ６をねじ込み可能な複数のねじ穴１７が形成されている。この場合、固定用ねじ６は、上記の各ねじ穴１７と、後述するように支持部材３に設けられている挿通孔２３と相俟って、両支持部材３ａ，３ｂに対する装置本体２の移動を規制するロック機構を構成する。
【００２３】
支持部材３ａ，３ｂ（以下、区別しないときには「支持部材３」ともいう）は、装置本体２を支持しつつ、装置本体２を保護するプロテクタとして機能する部材であって、図１に示すように、支持部材３ａ（左支持部材に相当）が装置本体２の左側面１２ａに取り付けられると共に、支持部材３ｂ（右支持部材に相当）が装置本体２の右側面１２ｂに取り付けられている。この支持部材３は、図３に示すように、一例として、２枚の板材２０ａ，２０ｂを貼り合わせて側面視長四角の平板状に形成され、その底面Ｆａ（装置本体２に取り付けられた状態において上記の底面１３ａ側に位置させられる面）を設置面として装置本体２を支持する支持姿勢（第１の支持姿勢）と、その背面Ｆｂ（装置本体２に取り付けられた状態において上記の背面１４側に位置させられる面）を設置面として装置本体２を支持する支持姿勢（第２の支持姿勢）との少なくとも２つの姿勢で装置本体２を支持可能に構成されている。
【００２４】
また、図４に示すように、支持部材３において装置本体２に取り付けた状態で側面１２と対向する面（内面）には、前述した案内ピン１６を嵌入可能な案内溝２１ａ〜２１ｄ（以下、区別しないときには「案内溝２１」ともいう）が形成されている（「両支持部材および装置本体の他方」が「両支持部材」である構成の一例）。なお、測定装置１の構成についての理解を容易とするために、図２では、装置本体２に両支持部材３が取り付けられていない状態において各案内ピン１６が側面１２に固定されている状態を図示すると共に、図４では、各案内溝２１内に案内ピン１６が嵌入されていない状態を図示しているが、実際には、図３に示すように、上記の板材２０ａ，２０ｂの貼り合わせに際して、各案内ピン１６の鍔部が板材２０ａ，２０ｂの間に挟み込まれるようにして各案内ピン１６が支持部材３に取り付けられている。このため、図４に示すように、各案内溝２１には、支持部材３に取り付けられている案内ピン１６を装置本体２に固定する際に固定用ねじ１６ａを回すための挿通孔２１ｈがそれぞれ形成されている。
【００２５】
この場合、図５に示すように、各案内溝２１は、測定装置１を各種の設置姿勢で設置する際（支持部材３に対して装置本体２を任意の取付け姿勢で取り付ける際）に、上記の各案内ピン１６を位置Ｐａ１〜Ｐｄ１、位置Ｐａ２〜Ｐｄ２、位置Ｐａ３〜Ｐｄ３および位置Ｐａ４〜Ｐｄ４の４つ位置のうちのいずれかの位置に案内するように十字状（支持部材３の上下方向に長い溝と、支持部材３の左右方向に長い溝とが交差している状態）に形成されている。具体的には、上記の位置Ｐａ１〜Ｐｄ１は、「溝内の所定の位置」の一例であって、両支持部材３の底面Ｆａを設置面に接触させた状態（装置本体２が第１の支持姿勢の両支持部材３によって支持された状態）において装置本体２の正面パネル１１が前向きとなる取付け姿勢（図１参照：第１の取付け姿勢）、および、両支持部材３の背面Ｆｂを設置面に接触させた状態（装置本体２が第２の支持姿勢の両支持部材３によって支持された状態）において正面パネル１１が上向きとなる取付け姿勢（図示せず：第２の取付け姿勢）のいずれかの取付け姿勢で両支持部材３に対して装置本体２を取り付ける際に、上記の各案内ピン１６が案内される位置であって、各案内溝２１における下方寄り（底面Ｆａ寄り）に規定されている。
【００２６】
また、上記の位置Ｐａ２〜Ｐｄ２は、「溝内の所定の位置」の他の一例であって、両支持部材３の底面Ｆａを設置面に接触させた状態において正面パネル１１が斜め前向き（前向きよりもやや上向き）となるように両支持部材３に対して装置本体２が傾いた取付け姿勢（図６参照：第３の取付け姿勢）で両支持部材３に対して装置本体２を取り付ける際に、上記の各案内ピン１６が案内される位置であって、案内溝２１ａ，２１ｂにおいては前方寄り（前面Ｆｄ寄り）に規定され、案内溝２１ｃ，２１ｄにおいては後方寄り（背面Ｆｂ寄り）に規定されている。さらに、上記の位置Ｐａ３〜Ｐｄ３は、「溝内の所定の位置」のさらに他の一例であって、両支持部材３の背面Ｆｂを設置面に接触させた状態において正面パネル１１が斜め上向き（上向きよりもやや前向き）となるように両支持部材３に対して装置本体２が傾いた取付け姿勢（図７参照：第４の取付け姿勢）で両支持部材３に対して装置本体２を取り付ける際に、上記の各案内ピン１６が案内される位置であって、案内溝２１ａ，２１ｂにおいては後方寄り（背面Ｆｂ寄り）に規定され、案内溝２１ｃ，２１ｄにおいては前方寄り（前面Ｆｄ寄り）に規定されている。
【００２７】
また、上記の位置Ｐａ４〜Ｐｄ４は、「溝内の所定の位置」のさらに他の一例であって、両支持部材３の底面Ｆａを設置面に接触させた状態において上記の第１の取付け姿勢における装置本体２よりも装置本体２を上方に位置させた取付け姿勢（図８参照：第５の取付け姿勢）で両支持部材３に対して装置本体２を取り付ける際に、上記の各案内ピン１６が案内される位置であって、各案内溝２１における上方寄り（上面Ｆｃ寄り）に規定されている。
【００２８】
また、図４に示すように、両支持部材３には、測定装置１の軽量化を図るべく開口部２２がそれぞれ形成されている。さらに、支持部材３には、固定用ねじ６を挿通可能な挿通孔２３が形成されている。この場合、この測定装置１では、上記の各種取付け姿勢において、固定用ねじ６をねじ穴１７にねじ込むことにより、両支持部材３に対する装置本体２の移動が規制される。また、この測定装置１では、支持部材３ａ，３ｂが、その内面の上面Ｆｃ寄りの縁部に端部がそれぞれ固定された取っ手４（連結部材に相当）によって相互に連結されている（「両支持部材の上部を相互に連結するように配設された」との構成の一例）。これにより、装置本体２に対して両支持部材３が別個独立して移動する事態が回避されると共に、測定装置１の携行に際しては、取っ手４に手を引っ掛けて容易に持ち上げることが可能となっている。
【００２９】
さらに、図５に示すように、この測定装置１では、支持部材３が装置本体２の側面１２よりも大きく形成されている。具体的には、この測定装置１では、両支持部材３における底面Ｆａ側の一辺の長さ、および上面Ｆｃ側の一辺の長さが、装置本体２の両側面１２における底面１３ａ側の一辺の長さ、および上面１３ｂ側の一辺の長さよりも長く、両支持部材３における背面Ｆｂ側の一辺の長さ、および前面Ｆｄ側の一辺の長さが、装置本体２の両側面１２における背面１４側の一辺の長さおよび正面パネル１１側の一辺の長さよりも長くなるように両支持部材３が形成されている。また、この測定装置１では、上記の第１の取付け姿勢および第２の取付け姿勢（支持部材３に対して装置本体２が実線で示す部位に位置している状態）や、第５の取付け姿勢（支持部材３に対して装置本体２が破線で示す部位に位置している状態）で取り付けられた装置本体２の両側面１２の全域が側面視において支持部材３の外縁の内側に位置するように各案内ピン１６を案内可能に上記の各位置Ｐａ１〜Ｐｄ１，Ｐａ４〜Ｐｄ４が規定されて各案内溝２１が形成されている。
【００３０】
次に、測定装置１の使用方法について、添付図面を参照して説明する。
【００３１】
この測定装置１では、例えば利用者の目線の高さと同程度の高さの棚板の上に測定装置１を設置して使用する場合には、まず、固定用ねじ６を取り外した状態において、両支持部材３に対して、図５に示す矢印Ｄの向きで装置本体２を移動させる。この際には、各案内ピン１６が各案内溝２１によって位置Ｐａ１〜Ｐｄ１に案内されて、装置本体２が支持部材３に対して、図５に実線で示す部位に位置させられる。次いで、固定用ねじ６を支持部材３の挿通孔２３に挿通させて、次いで、挿通させた固定用ねじ６を装置本体２のねじ穴１７にねじ込む。これにより、両支持部材３に対して装置本体２が第１の取付け姿勢で取り付けられた状態において両支持部材３に対する装置本体２の相対的な移動が規制される。続いて、両支持部材３の底面Ｆａを設置面（この例では、棚板の上面）に接触させるようにして測定装置１を設置する。これにより、図１に示すように、第１の支持姿勢で両支持部材３によって装置本体２が支持された状態において正面パネル１１が前向きとなり、利用者の目線の高さと同程度の高さに位置している表示部１５の表示を好適に視認することが可能となる。
【００３２】
この場合、この設置姿勢（装置本体２が第１の取付け姿勢で支持部材３に取り付けられると共に第１の支持姿勢の支持部材３によって支持された状態）では、支持部材３における測定装置１の奥行き方向に長い底面Ｆａを設置面に線的（正確には、支持部材３の厚みの幅を持って線的に細長い面的：以下の説明においても同様）に接触させているため、測定装置１がぐらつくことなく、十分な安定性が確保される。また、この設置姿勢では、図５に実線で示すように、側面視において、装置本体２の側面１２の全域が支持部材３の外縁部よりも内側に位置して装置本体２が支持部材３からはみ出していないため、上方からの落下物や、前方、後方または側方から移動してきた移動体が支持部材３の外縁部または外面に衝突する結果、装置本体２に対して落下物や移動体が直接的に衝突する事態が回避される。
【００３３】
一方、例えば、利用者が立ち上がっている状態において床面等に測定装置１を設置して使用する場合には、各案内ピン１６が各案内溝２１における位置Ｐａ１〜Ｐｄ１に位置している状態のまま（支持部材３に対して装置本体２を第１の取付け姿勢で取り付けた状態：この例では、上記の第１の取付け姿勢で取り付けた状態と同様の状態）、両支持部材３の背面Ｆｂを設置面（この例では、床面）に接触させるようにして測定装置１を設置する。これにより、第２の支持姿勢で両支持部材３によって装置本体２が支持された状態において正面パネル１１が上向きとなり（図示せず）、表示部１５の表示を好適に視認することが可能となる。この場合、この設置姿勢（装置本体２が第２の取付け姿勢で支持部材３に取り付けられると共に第２の支持姿勢の支持部材３によって支持された状態）では、支持部材３における測定装置１の高さ方向に長い背面Ｆｂを設置面に線的に接触させているため、測定装置１がぐらつくことなく、十分な安定性が確保される。また、この設置姿勢では、正面パネル１１が前向きとなっている上記の設置姿勢と同様にして、図５に実線で示すように、側面視において、装置本体２の側面１２の全域が支持部材３の外縁部よりも内側に位置して装置本体２が支持部材３からはみ出していないため、上方からの落下物や、前方、後方または側方から移動してきた移動体が支持部材３の外縁部に衝突する結果、装置本体２に対して落下物や移動体が直接的に衝突する事態が回避される。
【００３４】
また、例えば、利用者が椅子に腰掛けた状態において測定装置１を机上に設置して使用する場合には、固定用ねじ６を取り外した状態において、両支持部材３に対して、図５に示す矢印Ｆ１，Ｒ１の向きで装置本体２を移動させる（傾ける）。この際には、各案内ピン１６が各案内溝２１によって位置Ｐａ２〜Ｐｄ２に案内され、装置本体２が支持部材３に対して、図５に一点鎖線で示す部位に位置させられる。次いで、固定用ねじ６を支持部材３の挿通孔２３に挿通させて、次いで、挿通させた固定用ねじ６を装置本体２のねじ穴１７にねじ込む。これにより、両支持部材３に対して装置本体２が第３の取付け姿勢で取り付けられた状態において両支持部材３に対する装置本体２の相対的な移動が規制される。続いて、両支持部材３の底面Ｆａを設置面（この例では、机の天板の上面）に接触させるようにして測定装置１を設置する。これにより、図６に示すように、第１の支持姿勢で両支持部材３によって装置本体２が支持された状態において正面パネル１１が斜め前向きとなり、利用者の目線の高さよりも僅かに低い高さに位置している表示部１５の表示を好適に視認することが可能となる。この場合、この設置姿勢（装置本体２が第３の取付け姿勢で支持部材３に取り付けられると共に第１の支持姿勢の支持部材３によって支持された状態）では、支持部材３における測定装置１の奥行き方向に長い底面Ｆａを設置面に線的に接触させているため、測定装置１がぐらつくことなく、十分な安定性が確保される。
【００３５】
さらに、例えば、利用者が立ち上がっている状態において測定装置１を机上に設置して使用する場合や、利用者が床面等に腰掛けている状態において測定装置１を床面等に設置して使用する場合には、固定用ねじ６を取り外した状態において、両支持部材３に対して、図５に示す矢印Ｆ２，Ｒ２の向きで装置本体２を移動させる（傾ける）。この際には、各案内ピン１６が各案内溝２１によって位置Ｐａ３〜Ｐｄ３に案内され、装置本体２が支持部材３に対して、図５に二点鎖線で示す部位に位置させられる。次いで、固定用ねじ６を支持部材３の挿通孔２３に挿通させて、次いで、挿通させた固定用ねじ６を装置本体２のねじ穴１７にねじ込む。これにより、両支持部材３に対して装置本体２が第４の取付け姿勢で取り付けられた状態において両支持部材３に対する装置本体２の相対的な移動が規制される。続いて、両支持部材３の背面Ｆｂを設置面（この例では、机の天板の上面、または床面等）に接触させるようにして測定装置１を設置する。これにより、図７に示すように、第２の支持姿勢で両支持部材３によって装置本体２が支持された状態において正面パネル１１が斜め上向きとなり、利用者の目線の高さよりもある程度低い高さに位置している表示部１５の表示を好適に視認することが可能となる。この場合、この設置姿勢（装置本体２が第４の取付け姿勢で支持部材３に取り付けられると共に第２の支持姿勢の支持部材３によって支持された状態）では、支持部材３における測定装置１の高さ方向に長い背面Ｆｂを設置面に線的に接触させているため、測定装置１がぐらつくことなく、十分な安定性が確保される。
【００３６】
また、例えば、各種ケーブルが引き回されている床面に測定装置１を設置して使用する場合には、固定用ねじ６を取り外した状態において、両支持部材３に対して、図５に示す矢印Ｕの向きで装置本体２を移動（上動）させる。この際には、各案内ピン１６が各案内溝２１によって位置Ｐａ４〜Ｐｄ４に案内され、装置本体２が支持部材３に対して、図５に破線で示す部位（上記の第１の取付け位置よりも上方））に位置させられる。次いで、固定用ねじ６を支持部材３の挿通孔２３に挿通させて、次いで、挿通させた固定用ねじ６を装置本体２のねじ穴１７にねじ込む。これにより、両支持部材３に対して装置本体２が第５の取付け姿勢で取り付けられた状態において両支持部材３に対する装置本体２の相対的な移動が規制される。続いて、両支持部材３の底面Ｆａを設置面（この例では、床面等）に接触させるようにして測定装置１を設置する。これにより、図８に示すように、第１の支持姿勢で両支持部材３によって装置本体２が支持された状態において装置本体２の下方に十分な高さの空間が形成されるため、床面に引き回されたケーブル等が装置本体２の底面１３ａに接触する事態が回避される。
【００３７】
この場合、この設置姿勢（装置本体２が第５の取付け姿勢で支持部材３に取り付けられると共に第１の支持姿勢の支持部材３によって支持された状態）では、支持部材３における測定装置１の奥行き方向に長い底面Ｆａを設置面に線的に接触させているため、測定装置１がぐらつくことなく、十分な安定性が確保される。また、この設置姿勢では、装置本体２が第１の取付け姿勢で支持部材３に取り付けられると共に第１の支持姿勢の支持部材３によって支持された設置姿勢や、装置本体２が第２の取付け姿勢で支持部材３に取り付けられると共に第２の支持姿勢の支持部材３によって支持された設置姿勢と同様にして、図５に破線で示すように、側面視において、装置本体２の側面１２の全域が支持部材３の外縁部よりも内側に位置して装置本体２が支持部材３からはみ出していないため、上方からの落下物や、前方、後方または側方から移動してきた移動体が支持部材３の外縁部に衝突する結果、装置本体２に対して落下物や移動体が直接的に衝突する事態が回避される。
【００３８】
このように、この測定装置１では、両支持部材３ａ，３ｂおよび装置本体２の一方（この例では、装置本体２）に固定された案内ピン１６と、両支持部材３ａ，３ｂおよび装置本体２の他方（この例では、支持部材３ａ，３ｂ）に設けられて案内ピン１６を溝内の所定の位置に案内可能な案内溝２１ａ〜２１ｄとで取付け機構５が構成され、支持部材３ａ，３ｂの底面Ｆａを設置面として装置本体２を支持する第１の支持姿勢において表示部１５が配設されている正面パネル１１が前向きとなる第１の取付け姿勢と、支持部材３ａ，３ｂの背面Ｆｂを設置面として装置本体２を支持する第２の支持姿勢において正面パネル１１が上向きとなる第２の取付け姿勢と、第１の支持姿勢において正面パネル１１が斜めの向きとなるように両支持部材３ａ，３ｂに対して装置本体２が傾いた第３の取付け姿勢と、第２の支持姿勢において正面パネル１１が斜めの向きとなるように両支持部材３ａ，３ｂに対して装置本体２が傾いた第４の取付け姿勢との少なくとも４つの取付け姿勢で両支持部材３ａ，３ｂに対して装置本体２を取り付けるための複数の位置Ｐａ１〜Ｐｄ１，Ｐａ２〜Ｐｄ２，Ｐａ３〜Ｐｄ３に案内ピン１６を案内可能に案内溝２１ａ〜２１ｄが形成されている。
【００３９】
したがって、この測定装置１によれば、利用形態に合わせて任意の設置姿勢で設置する（各種取付け姿勢のうちから任意の取付け姿勢を選択して支持部材３に装置本体２を取り付けて設置する）ことができるだけでなく、正面パネル１１を前向きにするための第１の取付け姿勢や、正面パネル１１を斜め前向きにするための第３の取付け姿勢で装置本体２を取り付けた状態において第１の支持姿勢の支持部材３によって支持する設置姿勢で設置した状態においても、測定装置１の奥行き方向に長い底面Ｆａを設置面に接触させていることで、十分な安定性を確保することができる。これにより、この測定装置１によれば、測定装置１が転倒したり落下したりする事態を回避することができるため、転倒や落下に起因する破損を防止することができる。また、両支持部材３を取っ手４（連結部材）によって相互に連結したことにより、装置本体２に対して両支持部材３が別個独立して移動する事態を回避することができるため、例えば支持部材３ａの底面Ｆａ（または背面Ｆｂ）だけが設置面に線的に接触して支持部材３ｂの角部が設置面に点的に接触した不安定な状態となるのを確実に回避することができる。
【００４０】
また、この測定装置１によれば、第１の支持姿勢において第１の取付け姿勢の装置本体２よりも装置本体２が上方に位置した状態で正面パネル１１が前向きとなる第５の取付け姿勢で装置本体２を取り付けるための位置Ｐａ４〜Ｐｄ４に案内ピン１６を案内可能に案内溝２１ａ〜２１ｄを形成したことにより、例えば各種のケーブルが引き回されている床面等に測定装置１を設置する際に、装置本体２の下方に十分な高さの空間を設けることができるため、床面等に引き回されたケーブル等が邪魔をして測定装置１の設置状態が不安定となる事態を回避することができる。
【００４１】
さらに、この測定装置１によれば、各取付け姿勢において両支持部材３ａ，３ｂと装置本体２とを相互に固定して両支持部材３ａ，３ｂに対する装置本体２の移動を規制するロック機構（この例では、固定用ねじ６、ねじ穴１７および挿通孔２３）を備えたことにより、所望の取付け姿勢で支持部材３に装置本体２を取り付けた状態において装置本体２が利用者の意図に反して支持部材３に対して移動してしまう事態を確実に回避することができる。このため、この測定装置１によれば、表示部１５の視認が良好な取付け姿勢を確実に維持することができる。
【００４２】
また、この測定装置１によれば、両支持部材３ａ，３ｂの上部（この例では、上面Ｆｃ側の縁部）を相互に連結するように配設された取っ手４で連結部材を構成したことにより、連結部材としての取っ手４に手をかけて測定装置１を容易に携行することができるだけでなく、両支持部材３を連結するための連結部材と、携行に際して手をかけるための取っ手とを別個に設けた測定装置と比較して、製造コスト（部品コスト）の低減を図りつつ、その重量を十分に軽量化することができる。
【００４３】
さらに、この測定装置１によれば、第１の取付け姿勢および第２の取付け姿勢で取り付けられた装置本体２の両側面１２の全域が側面視において支持部材３の外縁の内側に位置する所定の位置（この例では、位置Ｐａ１〜Ｐｄ１）に案内ピン１６を案内可能に案内溝２１ａ〜２１ｄを形成したことにより、上方からの落下物や、前方、後方および側方からの移動体が装置本体２に衝突せずに支持部材３に衝突するため、落下物や移動体による装置本体２の破損を好適に回避することができる。
【００４４】
また、この測定装置１によれば、案内ピン１６を複数の所定の位置に案内可能に案内溝２１ａ〜２１ｄをＴ字状または十字状（この例では、十字状）に形成したことにより、複雑な形状の案内溝を採用した構成と比較して、各案内溝２１ａ〜２１ｄ内での案内ピン１６の引っ掛かりを招くことなく、各案内ピン１６を所望の位置に向けてスムーズに案内させることができる。
【００４５】
なお、本発明は、上記の構成に限定されない。例えば、側面視長四角の平板状に形成した支持部材３を有する測定装置１を例に挙げて説明したが、支持部材の外形は長四角に限定されず、第１の支持姿勢において設置面に接する面（上記の支持部材３における底面Ｆａに相当する面）と、第２の支持姿勢において設置面に接する面（上記の支持部材３における背面Ｆｂに相当する面）とを有している限り、任意の外形を採用することができる。例えば、図９に示す測定装置１Ａでは、上記の測定装置１における支持部材３ａ，３ｂに代えて、側面視コ字状の支持部材３３ａ，３３ｂ（以下、区別しないときには「支持部材３３」ともいう）を備えている。この場合、この測定装置１Ａでは、支持部材３３ａが左支持部材に相当し、支持部材３３ｂが右支持部材に相当する。なお、この測定装置１Ａにおいて前述した測定装置１と同一の機能を有する構成要素については、同一の符号を付して重複する説明を省略する。
【００４６】
この測定装置１Ａでは、前述した測定装置１と同様にして、第１の支持姿勢において測定装置１Ａの奥行き方向に長い底面Ｆａを設置面に接触させ、第２の支持姿勢において測定装置１Ａの高さ方向に長い背面Ｆｂを設置面に接触させて装置本体２を支持した状態で設置することができる。このため、上記の測定装置１と同様にして、いずれの支持姿勢においても、十分な安定性を確保することができる。なお、この測定装置１Ａに採用されている支持部材３３では、取っ手４を測定装置１の奥行き方向中央部に位置させるために上面Ｆｃａがある程度長く形成されて側面視コ字状に形成されているが、取っ手４を装置本体２の背面１４側（背面Ｆｂ寄り）に位置させる構成を採用する場合には、底面Ｆａおよび背面Ｆｂを有し上面Ｆｃａが短い側面視Ｌ字状に形成することもできる。このような構成の支持部材（図示せず）を採用した場合においても、上記の支持部材３，３３を有する測定装置１，１Ａと同様にして、各種の支持姿勢において十分な安定性を確保することができる。
【００４７】
また、４つの案内ピン１６と４つの案内溝２１ａ〜２１ｄとによって取付け機構５を構成した例について説明したが、取付け機構５を構成する案内ピンおよび案内溝の数は、４つに限定されない。例えば、図９に示す測定装置１Ａでは、前述した測定装置１の支持部材３における案内溝２１ｂ，２１ｄが形成されず、支持部材３における前面Ｆｄ側の案内溝２１ａと背面Ｆｂ側の案内溝２１ｃの２つだけが形成されると共に、上記の案内溝２１ａ，２１ｃの２つに嵌入可能な２つの案内ピン１６が装置本体２に固定されて取付け機構５が構成されている。このような構成を採用した測定装置１Ａにおいても、前述した測定装置１と同様にして、左右それぞれ２組の案内ピン１６および挿通孔２３によって両支持部材３３に対して装置本体２を所望の位置に正確に案内することができる。
【００４８】
また、上記の測定装置１では、支持部材３に対して装置本体２を上動させた第５の取付け姿勢で取り付ける際に各案内ピン１６を位置Ｐａ４〜Ｐｄ４に案内することができるように、十字状の案内溝２１を両支持部材３に形成しているが、第５の取付け姿勢による取付けに際して各案内ピン１６を位置Ｐａ５〜Ｐｄ５（図５参照）に案内する構成を採用した場合や（第３の取付け姿勢で取り付ける際に各案内ピン１６を案内する位置Ｐａ２〜Ｐｄ２と、第４の取付け姿勢で取り付ける際に各案内ピン１６を案内する位置Ｐａ３〜Ｐｄ３との間に、第５の取付け姿勢で取り付ける際に各案内ピン１６を案内する位置Ｐａ５〜Ｐｄ５を規定した例）、第５の取付け姿勢による取付けが不要な場合には、上記の案内溝２１に代えてＴ字状の案内溝（上記の十字状の案内溝２１における交差部位から位置Ｐａ４〜Ｐｄ４に案内するための溝が存在しない溝）を形成することができる。また、一例として、第１の取付け姿勢で取り付けるための位置Ｐａ１〜Ｐｄ１と、図５に破線で示すように、第２の取付け姿勢で取り付けるための位置Ｐａ６〜Ｐｄ６とを別個に規定して案内溝を形成することもできる。さらに、装置本体２に案内ピン１６を固定すると共に、支持部材３，３３に案内溝２１を設けた測定装置１，１Ａについて説明したが、装置本体に案内溝（上記の案内溝２１に対応する構成）を設けると共に、支持部材に案内ピン（上記の案内ピン１６に対応する構成）を固定して装置本体に支持部材を取り付ける構成を採用することもできる。
【符号の説明】
【００４９】
１，１Ａ  測定装置
２  装置本体
３ａ，３ｂ，３３ａ，３３ｂ  支持部材
４  取っ手
５  取付け機構
６  固定用ねじ
１１  正面パネル
１２ａ  左側面
１２ｂ  右側面
１３ａ，Ｆａ  底面
１３ｂ，Ｆｃ，Ｆｃａ  上面
１４，Ｆｂ  背面
１５  表示部
１６  案内ピン
１６ａ  固定用ねじ
１７  ねじ穴
２１ａ〜２１ｄ  案内溝
２３  挿通孔
Ｆｄ  前面
Ｐａ１〜Ｐｄ１，Ｐａ２〜Ｐｄ２，Ｐａ３〜Ｐｄ３，Ｐａ４〜Ｐｄ４，Ｐａ５〜Ｐｄ５，Ｐａ６〜Ｐｄ６  位置
【図１】
2010256257.tif 000003
【図２】
2010256257.tif 000004
【図３】
2010256257.tif 000005
【図４】
2010256257.tif 000006
【図５】
2010256257.tif 000007
【図６】
2010256257.tif 000008
【図７】
2010256257.tif 000009
【図８】
2010256257.tif 000010
【図９】
2010256257.tif 000011